(57)【要約】【課題】  バルコニーのデッキの組立に際し、デッキの上下方向の高さの調整を容易にするため、その構造の簡易化のみならず、調整作業を容易にしたデッキを提供すること。【解決手段】  多数のデッキ材２を支える根太材３に、その外方に向けて係止突片５ｃ，５ｃを設けている。この係止突片５ｃ，５ｃに根太調整材９を組付ける。根太調整材９は、断面コ字状形状で、両側面１３ｂ，１３ｂに内側に向けて上下方向に多数の調整溝１４，１４を設ける。この調整溝１４，１４を選んで、前記根太材３の係止突片５ｃ，５ｃを挿入し、上下方向の高さ調整を行ない、ねじ１８で固定を行なう。それから、必要により微調整は調整クサビ１１により、根太調整材９をバルコニーの床面２３との間に介在して行なう。最後に調整クサビ１１を固定する固定手段２５を塗布する。【選択図】      図４
2014047500.tif 000002
【特許請求の範囲】
【請求項１】
多数のデッキ材と、
このデッキ材を支え、両側で水平方向に突出する２つの係止突片を備えた根太材と、
断面コ字形で、その開口を上方に配し、内部で一対の側面のそれぞれに上下方向に多数の横方向開口の調整溝を持ち、この調整溝のいずれかに前記根太材の一対の係止突片が挿入される根太材上下方向の高さ調整用の根太調整材と、
前記根太調整材と根太材を固定する固定手段と、
を備えたことを特徴とするデッキ。
【請求項２】
前記根太調整材の底面と建物の構造体との間に必要により調整クサビを挿入することを特徴とする請求項１記載のデッキ。
【発明の詳細な説明】
【技術分野】
【０００１】
この発明は、傾斜面に設置するデッキ材の上面を容易に水平調整ができるデッキに関する。
【背景技術】
【０００２】
例えばバルコニーは、建物外壁面より持ち出した屋外床であり、その床面に雨水が溜まらないように勾配が付けられている。そこにデッキを水平に設置するため、デッキ下部分で高さの調整が必要となる。一般に、バルコニーに敷設されるデッキやルーフに設置されるルーフデッキは、根太材上にデッキ材を架け渡したものが知られている。デッキ材の上面を水平に設置しなければならず、根太材の底面と構造物（床面）との間に位置修正用の部材を設け、上下方向の位置調整が行なわれていた。
【０００３】
従来は位置修正用の部材として、クサビを用いたり、螺子を用いた支持脚を根太材に取付け、その支持脚を回転させてデッキの上下方向の高さを調整していた。例えば特許文献１に記載されているように。
【先行技術文献】
【特許文献】
【０００４】
【特許文献１】特開２００６−３４２６３１号公報
【発明の概要】
【発明が解決しようとする課題】
【０００５】
前述のクサビを用いて調整する方法は、根太材と構造物間にクサビを配して、デッキ材の前後左右の水平を出すものであるが、この水平調整は試行錯誤の繰り返しで、手数と時間のかかる作業であった。また、螺子を用いた支持脚を根太材の適所に複数個（６〜９個）を取付け、その６個ないし９個の支持脚を回転させて、前後左右の調整作業もまたで煩雑であったし、また、螺子を用いるため高価となっていた。
【０００６】
バルコニーは、建物外壁面より持ち出した屋外床であり、前後方向の傾斜が持たされているが、傾斜角は小さいために、それに適した調整材が必要であった。それは構造が簡易で、且つ安価で、しかも調整作業が容易であることが好ましい。
【０００７】
そこで、この発明は、前後左右の水平調整が構造が簡易で且つ安価でしかも調整作業が容易であるデッキを提供することを目的としている。
【課題を解決するための手段】
【０００８】
この発明に係るデッキは、多数のデッキ材と、このデッキ材を支え、両側で水平方向に突出する２つの係止突片を備えた根太材と、断面コ字形で、その開口を上方に配し、内部で一対の側面のそれぞれに上下方向に多数の横方向開口の調整溝を持ち、この調整溝のいずれかに前記根太材の一対の係止突片が挿入される根太材上下方向の高さ調整用の根太調整材と、前記根太調整材と根太材を固定する固定手段と、を備えたことを特徴としている（請求項１）。
【０００９】
このため、根太材の係止突片を根太調整材の複数ある調整溝の所定のところに挿入し、所定巾（例えば１０ｍｍ程）単位で根太材の上下方向の高さを決定すると共に、調整溝の所定巾（例えば１０ｍｍ程）を越える調整が必要となる際には、根太材の係止突片の複数の調整溝への挿入部位を入れ替えて対応する。それから、前記根太調整材と前記根太材とは、高さ調整後に例えばねじなどの固定手段により固定される。
【００１０】
前記根太調整材の底面と建物の構造体との間に必要により調整クサビを挿入することを特徴としていることから（請求項２）、根太材の上下方向の高さが調整溝の所定巾（例えば１０ｍｍ）以下の小さい寸法時に、必要により調整クサビを用いて微調整し、デッキの水平設置の調整を行なう。
【発明の効果】
【００１１】
以上のように、請求項１の発明によれば、建物の構造体の傾斜に対応して、デッキを水平設置が容易となる。根太材の上下方向の高さの調整は、根太材の係止突片の根太調整材の多数の調整溝への挿入位置の選択により行なわれる。そして、根太調整材と根太材はねじなどの固定手段にて、根太材の上下方向の高さが固定される。このように、デッキ組立の際に、デッキの水平調整作業が容易であると共に、作業者を選ばず簡単に作業ができる。しかも、調整構造は簡易であり、バルコニー等のデッキの水平調整に適している。
【００１２】
請求項２の発明によれば、根太材の上下方向の高さの微調整は、必要により調整クサビを根太調整材と建物の構造体との間に挿入することで行なわれ、調整クサビにより確実に行なわれる。
【図面の簡単な説明】
【００１３】
【図１】図１は、デッキの斜視図である。
【図２】図２は、デッキの短手方向から見た拡大の側面図である。
【図３】図３は、根太材の斜視図である。
【図４】図４は、根太材の高さ調整手段を示す正面図である。
【図５】図５は、根太調整材の斜視図である。
【図６】図６は、調整クサビの斜視図である。
【図７】図７は、デッキを組立てるために、バルコニーの床面に根太材を配した説明図である。
【図８】図８は、同上において、根太材に根太調整材を組付け、根太材上に複数本のデッキ材を載置して前後左右の水平調整作業の説明図である。
【図９】図９は、デッキの水平調整が完了時の側面図である。
【図１０】図１０は、同上の正面図である。
【図１１】図１１は、根太材の他の変形例を示す斜視図である。
【発明を実施するための形態】
【００１４】
以下、この発明の実施例を図面に基づいて説明する。
【実施例１】
【００１５】
図１はデッキ１の斜視図、図２は同上の短手方向から見た拡大側面図で、このデッキ１は１３枚のデッキ材２と、それに直交し、支える三本の根太材３と、この根太材３が載置されるバルコニーの床面から支え且つ根太材３の高さを調節する上下方向の高さ調整手段４とを具備している。
【００１６】
デッキ材２は、例えば硬質低発泡ウレタン樹脂で温かみのある天然素材の質感を持つものが用いられ、形状は縦に長い板状の部材である。しかし、この素材には限定されず天然素材を用いることもできる。
【００１７】
根太材３は図３に示され、アルミニウムの金属製で、断面中空の筐体形状で、下端で外方（水平方向）へ突出する係止突片５ｃ，５ｃを備えている。この根太材３の長さ寸法は、デッキ１の長手方向寸法とほぼ同等である。
また、根太材３は図１１に示すように、アルミ板やステンレス板を採用することも可能で、そのような場合には、開口６を持ったコ字状形状で、天板５ａと、２つの側板５ｂ，５ｂと下方に向けた開口６と、前記２つの側板５ｂ，５ｂが下端で外方（水平方向）へ曲げられて形成の係止突片５ｃ，５ｃとを備えている。
【００１８】
高さ調整手段４は、前記根太材３の係止突片５ｃ，５ｃと、図４，図５に示される根太調整材９と、図６に示される調整クサビ１１とより構成されている。根太調整材９は、アルミニウム等の金属製で断面コ字状形状で、その開口１２を上方に向け、連結側を底面１３ａとし、両側面１３ｂ，１３ｂに上下方向に多数の調整溝１４を持っている。
【００１９】
この調整溝１４は側面１３ｂ，１３ｂから内側に直角（水平方向）に６つの突板１６が突出し、その突板１６により、６つの調整溝１４，１４が上下方向に構成され、その調整溝１４，１４の横方向開口は、それぞれ対向している。この調整溝１４，１４と突板１６との巾は１０ｍｍ程で、１０ｍｍ単位で６つで６０ｍｍ上下方向の高さが修正できることになる。なお、根太調整材９には、その側面１３ｂに穴１７を開口している。
【００２０】
この根太調整材９と前記根太材３との組付けは、根太材３の側方に沿わせて目視し、何段目の調整溝１４，１４に挿入するかを決定する。それから、根太材３係止突片５ｃ，５ｃを根太調整材９の調整溝１４，１４内に挿入させる。この両者の高さ調整寸法は１０ｍｍ単位である。高さ調整が完了したらねじ１８を穴１７から挿入し、根太材３に螺じ込むことで一体化される。なお、根太調整材９と根太材３との固定はねじに限らず、接着剤の使用又は根太調整材９をカシメにより行なうこともできる。
【００２１】
調整クサビ１１は図６に示された形状で、樹脂にて製造され、平坦面２０ａと、傾斜面２０ｂとより成り、例えば平坦面の高さを６ｍｍ程に、傾斜面は０から６ｍｍまでの高さが持たされている。それから、平坦面２０ａの反傾斜面側に突起２０ｃを持っている。この調整クサビ１１は、前記根太調整材９の調整のみで、デッキ１前後左右の水平調整ができれば微調整作業を行なう必要は無く、当然ながら使用されない。しかし、デッキ１の水平調整が必要な場合には、図４に示されるように、根太調整材９の底面１３ａとバルコニーの床面２３との間に介在される。そして、前記根太調整材９と調整クサビ１１との間及び調整クサビ１１と床面２３との間に接着剤等の固定手段２５が塗布され固定される。
【００２２】
上述の構成において、デッキ１を組立てるには、図７に示すように、バルコニーの床面２３に、その床面２３の前後方向が１ｍ２０ｃｍ程の場合には、５０ｃｍ程の間隙をあけて横方向に仮置する。根太材３の長さは、床面２３の左右方向の長さと程同等である。
【００２３】
それから図８に示すように、根太材３に根太調整材９を組付ける。組付方向は、前述したごとく、根太材３の係止突片５ｃ，５ｃを所望する根太調整材９の調整溝１４，１４内に挿入する。一本の根太材３には、３個の根太調整材９が組付けられる。そして、水平調整が当然ながら水平機を見ながら行なわれる。それから、図８に示すように、根太材３の上面に、それに直交するようにデッキ材２を複数本を載せる。これにより、デッキ材２が前後のみならず左右方向が水平となるように調整を行なう。
【００２４】
この水平調整は、必要により、微調整が必要で、１０ｍｍ以下の調整は、根太調整材９では行なえない。そこで調整クサビ１１を用いて、図９，図１０のように、根太調整材９の底面１３ａとバルコニーの床面２３との間に挿入介在させる。これにより、１０ｍｍ以下の調整が行なわれ、根太材３の水平調整が行なわれる。
【００２５】
水平調整が完了したら、ドリルねじと称されるねじ１８を根太調整材９の穴１７からねじ込むと、ねじ１８が根太材３にねじ込まれ結合され、両者は一体化される。それから、根太調整材９の底面１３ａと調整クサビ１１及び調整クサビ１１とバルコニーの床面２３との間に接着剤等の固定手段２５が塗布され、固定される。
【００２６】
最後に根太材３上に、全てのデッキ材２を乗せ、ドリルねじと称されるねじ２７により根太材３上にデッキ材２が固定され、デッキ１が組立てられる。当然ながら、デッキ１はバルコニーの床面２３に水平に設置される。
【符号の説明】
【００２７】
１      デッキ
２      デッキ材
３      根太材
４      高さ調整手段
５ｃ    係止突片
９      根太調整材
１１    調整クサビ
１３ｂ  側面
１４    調整溝
１６    突板
１７    穴
１８    ねじ
２０ａ  平坦面
２０ｂ  傾斜面
２３    バルコニーの床面
２５    固定手段
２７    ねじ
【図１】
2014047500.tif 000003
【図２】
2014047500.tif 000004
【図３】
2014047500.tif 000005
【図４】
2014047500.tif 000006
【図５】
2014047500.tif 000007
【図６】
2014047500.tif 000008
【図７】
2014047500.tif 000009
【図８】
2014047500.tif 000010
【図９】
2014047500.tif 000011
【図１０】
2014047500.tif 000012
【図１１】
2014047500.tif 000013